(57)【特許請求の範囲】
【請求項１】
真空断熱材を発泡体の内部に埋設した真空断熱パネルを製造するに際し、
前記真空断熱パネルの大きさに形成されるポリスチレン発泡体に前記真空断熱材が入り装着される真空断熱材の表面が周囲の表面と面一となる凹部を予め成形した後、当該凹部を備えるポリスチレン発泡体を連続供給し、凹部に前記真空断熱材を装着した後、面材の表面にポリウレタン発泡体の発泡原料を塗布し、この面材を反転して発泡原料を前記真空断熱材およびその周囲の前記ポリスチレン発泡体に当て、当該面材を介して一定の厚さに押えて硬化させるようにしたことを特徴とする真空断熱パネルの製造方法。
【請求項２】
前記ポリスチレン発泡体を、予め型発泡で、装着される前記真空断熱材の表面が周囲の表面と面一となる前記凹部を成形するようにしたことを特徴とする請求項１記載の真空断熱パネルの製造方法。
【発明の詳細な説明】
【技術分野】
【０００１】
この発明は、真空断熱パネルの製造方法に関し、ポリスチレン発泡体とポリウレタン発泡体の内部に真空断熱材を埋め込むことで、寸法精度を向上し、真空断熱材の損傷を防止できるようにしたもので、建築物やそのドアなど高断熱かつ寸法精度を必要とする真空断熱パネルの製造法として好適なものである。
【背景技術】
【０００２】
従来から断熱材や断熱材とパネルとを一体化した断熱パネルが種々の分野に用いられており、例えば建築物の断熱にもグラスウールに替え、より断熱性能に優れた硬質ウレタンフォームなどの合成樹脂フォームが用いられ、合成樹脂フォームの両面に面材を積層した断熱パネルが使用されている。
【０００３】
近年、住宅などの建築物の省エネルギー化などを図るため高気密・高断熱化に対する要求の高まりから、断熱パネルの一層の断熱性能の向上を図ろうとすると、断熱層の厚さを厚くしなければならず、スペースや施工の問題が生じてしまう。
【０００４】
そこで、合成樹脂フォームに比べて断熱性能に優れた真空断熱材を用いた真空断熱パネルが提案されており、例えば特許文献１には、保冷車用の断熱パネルとして、図５に示すように、硬質ウレタンフォームなどでなる断熱材１内に真空断熱材２を埋め込んで芯材３を構成し、この芯材３の両面に外板４と内板５を取り付けて断熱パネル６としたものが開示されている。
【０００５】
そして、この断熱パネル６の製造方法として、断熱材１を成形するときにインサート成形して断熱材１内に真空断熱材２を埋め込むようにしたり、断熱材１を成形するときに凹所を形成しておき、後から真空断熱材２を落とし込んで接着などをして取り付けるようにすることで断熱パネル６を製造することが開示されている。
【０００６】
また、真空断熱パネルの製造方法として、特許文献２には、上下のいずれか一方の面材に発泡原料を塗布し、他方の面材に真空断熱材を接着固定し、上下面材を一定の間隔に押えてして発泡体に埋設されたパネルを連続製造することが開示されている。
【特許文献１】特開平１０−１１４２４５号公報
【特許文献２】特開２００５−１６１７９４号公報
【発明の開示】
【発明が解決しようとする課題】
【０００７】
ところが、このような真空断熱材２を合成樹脂発泡体などの断熱材１で覆った真空断熱パネル６では、外板４や内板５を取り付けるまで真空断熱材２の片面が露出しているため、運搬や組立までの各工程で真空断熱材２に傷や穴などの損傷を与える虞があり、万一、破損すると真空状態が破壊され、使用することができなくなる。
【０００８】
また、例えば図６に示すように、上下面材７、８の一方の下面材８に真空断熱材２を配置し、他方の上面材に塗布した発泡体１で覆った真空断熱パネル９でも真空断熱材２の片面が下面材８で覆われるだけであり、上記と同様の損傷の虞があるとともに、上下面材７，８に断続的に真空断熱材２を固定するため、真空断熱材２のある部分とない部分とで断熱材１に厚みの差が生じ易く、表面平滑性に劣り、寸法精度を要求される部分や箇所への適用ができなくなる虞がある。
【０００９】
一方、真空断熱材の周囲全体を断熱材で覆うようにした真空断熱パネルも種々提案されているが、このような真空断熱パネルを製造する場合に、従来から主として行われている注入法では、型にセットした面材と真空断熱材の狭い空間に合成樹脂発泡体の発泡原料を注入しなければならず、型への装着、型からの取り外しが必要で製造工程が煩雑であり、しかも空間内のエアが十分抜けない場合があり、出来上がった真空断熱パネルの合成樹脂発泡体にボイドが発生してしまうという問題がある。
【００１０】
さらに、注入法では、面材と真空断熱材を予め取り付けておく型が必要であり、真空断熱材と発泡体との埋設一体化を連続して行うことができず、製造効率が悪いという問題がある。
【００１１】
この発明は、上記従来技術の問題点に鑑みてなされたもので、真空断熱材を保護することができ、厚み精度が良く、平滑性に優れた真空断熱パネルを効率的に製造することができる真空断熱パネルの製造方法を提供しようとするものである。
【課題を解決するための手段】
【００１４】
上記課題を解決するため、この発明の請求項１記載の真空断熱パネルの製造方法は、真空断熱材を発泡体の内部に埋設した真空断熱パネルを製造するに際し、
前記真空断熱パネルの大きさに形成されるポリスチレン発泡体に前記真空断熱材が入り装着される真空断熱材の表面が周囲の表面と面一となる凹部を予め成形した後、当該凹部を備えるポリスチレン発泡体を連続供給し、凹部に前記真空断熱材を装着した後、面材の表面にポリウレタン発泡体の発泡原料を塗布し、この面材を反転して発泡原料を前記真空断熱材およびその周囲の前記ポリスチレン発泡体に当て、当該面材を介して一定の厚さに押えて硬化させるようにしたことを特徴とするものである。
【００１５】
また、この発明の請求項２記載の真空断熱パネルの製造方法は、請求項１記載の構成に加え、前記ポリスチレン発泡体を、予め型発泡で、装着される前記真空断熱材の表面が周囲の表面と面一となる前記凹部を成形するようにしたことを特徴とするものである。
【発明の効果】
【００１８】
この発明の請求項１記載の真空断熱パネルの製造方法によれば、真空断熱材を発泡体の内部に埋設した真空断熱パネルを製造するに際し、前記真空断熱パネルの大きさに形成されるポリスチレン発泡体に前記真空断熱材が入り装着される真空断熱材の表面が周囲の表面と面一となる凹部を予め成形した後、当該凹部を備えるポリスチレン発泡体を連続供給し、凹部に前記真空断熱材を装着した後、面材の表面にポリウレタン発泡体の発泡原料を塗布し、この面材を反転して発泡原料を前記真空断熱材およびその周囲の前記ポリスチレン発泡体に当て、当該面材を介して一定の厚さに押えて硬化させるようにしたので、ポリスチレン発泡体に前記真空断熱材が入る凹部を予め成形した後、当該凹部を備えるポリスチレン発泡体を連続供給し、当該ポリスチレン発泡体の凹部に前記真空断熱材を装着することで、真空断熱材部分と他のポリスチレン発泡体部分の厚さが一定となり、厚みが均一かつ平滑なパネルを容易に製造することができるとともに、ポリスチレン発泡体の凹部とこれを覆うポリウレタン発泡体とで真空断熱材全体を保護することができ、損傷を防止することができる。
また、真空断熱材部分と他のポリスチレン発泡体部分を覆うようにポリウレタン発泡体を面材に塗布して一定の厚さに押えて硬化させることで、ポリスチレン発泡体の凹部に装着した真空断熱材とこれを覆うポリウレタン発泡体を連続的に成形して効率的にパネルを製造することができる。
これにより、厚さ精度が一層高く、平滑に優れたパネルを一層容易に製造することができる。
【００１９】
また、この発明の請求項２記載の真空断熱パネルの製造方法によれば、前記ポリスチレン発泡体を、予め型発泡で、装着される前記真空断熱材の表面が周囲の表面と面一となる前記凹部を成形するようにしたので、ポリスチレン発泡体の型発泡で、真空断熱材が装着される凹部を周囲の表面と面一となるように簡単に成形でき、これらを覆うようにポリウレタン発泡体を面材に塗布して一定の厚さに押えて硬化させることで、ポリスチレン発泡体の凹部に装着した真空断熱材とこれを覆うポリウレタン発泡体を連続的に成形して効率的にパネルを製造することができる。
これにより、厚さ精度が一層高く、平滑に優れたパネルを一層容易に製造することができる。
【発明を実施するための最良の形態】
【００２０】
以下、この発明の実施の形態について図面を参照して詳細に説明する。
図１は、この発明の参考例の真空断熱パネルにかかる概略平面図および横断面図である。なお、説明の都合上、図面の各図上での上下・左右あるいは前後・左右として説明するが、真空断熱パネルの製造や施工を何ら制約するものでない。
【００２１】
この発明の参考例の真空断熱パネル１０は、例えば図１に示すように、薄い板状の真空断熱材１１を、パネル状のポリスチレン発泡体１２に形成した凹部１３に装着してポリスチレン発泡体１２の上面と真空断熱材１１の上面が連続する面一となるようにするとともに、これらポリスチレン発泡体１２の上面および真空断熱材１１の上面をポリウレタン発泡体１４で覆って構成されている。これにより、真空断熱材１１はその左右前後および下面の５面がポリスチレン発泡体１２で覆われた状態となるとともに、真空断熱材１１の上面がポリウレタン発泡体１４で覆われた状態となり、６面が完全に埋設された状態となっている。
【００２２】
この真空断熱パネル１０では、真空断熱材１１を装着する凹部１３をポリスチレン発泡体１２に形成することで、ポリウレタン発泡体１４に形成する場合に比べ、寸法精度良く、簡単に成形することができる。このポリスチレン発泡体１２およびその凹部１３の成形は、ビーズ法ポリスチレンフォーム（ＥＰＳ）による型発泡で成形する方法が好ましく、原料ビーズをよび発泡させた後に、型に充填し加熱することで、凹部１３の形状・寸法を高めて比較的簡単に製造することができる。
【００２３】
そして、このポリスチレン発泡体１２の厚みを精度良く成形するとともに、その凹部１３を、装着する真空断熱材１１の厚みに応じた深さで精度良く成形し、凹部１３に装着した真空断熱材１１の表面とポリスチレン発泡体１２の凹部１３の周囲表面とが一平面をなす面一状態となるようにすることで、次工程で覆うポリウレタン断熱材１４の厚みを真空断熱材１１のある部分（真空断熱材１１の表面）とない部分（ポリスチレン発泡体１２の凹部１３の周囲表面）とで一定にでき、平滑性に優れた真空断熱パネル１０を成形することができる。
【００２４】
また、ポリウレタン発泡体１４を発泡させながら真空断熱材１１およびその周囲に抑えるようにすることで、ポリウレタン発泡体１４がポリスチレン発泡体１２の凹部１３にも入り込み、隙間を無くすことができ、対流による熱伝達を抑えて断熱性を向上することができる。
【００２５】
このような真空断熱パネル１０によれば、真空断熱材１１がポリスチレン発泡体１２およびポリウレタン発泡体１４で、上下面および左右前後の６面全体が覆われて埋設状態となり、真空断熱材１１を保護することができ、破損を防止することができ、運搬や施工現場での取り扱いが容易となる。
【００２６】
また、この真空断熱パネル１０によれば、厚み精度と表面平滑性が向上し、建築物の断熱パネルなどとして用いるのに加え、寸法精度が要求されるドアなどの断熱用のパネルとして使用することも可能となる。
【００２７】
なお、この真空断熱パネル１０としては、ポリスチレン発泡体１２内の一つの凹部１３に１枚の真空断熱材１１を備えるものに限らず、図２に示すように、ポリスチレン発泡体１２内の２つの凹部１３や４つの凹部１３に２枚や４枚の真空断熱材１１を備えたものなど、複数枚の真空断熱材１１をポリスチレン発泡体１２内の凹部１３に備えるものであっても良い。
【００２８】
また、凹部１３を備えるポリスチレン発泡体１２は、型発泡により一体成形する場合に限らず、押出成形された板状ないし棒状のポリスチレン成形体を接着するなどで組み立てて凹部を備えたパネル状としたものであっても良い。
【００２９】
さらに、この発明の真空断熱パネルの製造方法で製造される真空断熱パネル１０では、ポリウレタン発泡体１４の外側表面に面材１５を設け、この面材をポリウレタン発泡体１４よりも透湿抵抗の大きい材質の面材とすることで、例えば図３に示すように、建築物の構造材１６に、室内側から面材１５、ポリウレタン発泡体１４、真空断熱材１１、ポリスチレン発泡体１２が配置されるように真空断熱パネル１０を取り付けて断熱施工することで、透湿抵抗が室内側が高く、屋外側を低くすることができ、断熱材であるポリウレタン発泡体１４およびポリスチレン発泡体１２内部への水蒸気の浸入を大幅に低減でき、わずかに浸入した水蒸気を屋外側に排出させることができ、真空断熱材１１の両側を同一発泡体のポリウレタンフォームで挟んだ真空断熱パネルに比べ、冬季の壁内の結露防止に優れた効果を発揮する。なお、この面材１５は、ポリウレタン発泡体１４を積層する際に、面材の表面にポリウレタンフォームの発泡原料を吹き付け、反転させて真空断熱材１１およびポリスチレン発泡体１２を覆うようにすることで、真空断熱パネル１０の製造も簡単にできるようになる。
【００３０】
次に、この発明の真空断熱パネルの製造方法について説明する。  
図４は、この発明の真空断熱パネルの製造方法の一実施の形態にかかる製造工程の概略構成図である。
【００３１】
この真空断熱パネル１０の凹部１３に装着される真空断熱材１１は、図４に示す製造工程とは別に、予め別工程で、例えば連続気泡形の硬質プラスチックフォームのスラブ材などの芯材と、ゼオライトなどのゲッタ剤とを、ナイロン、ＰＥＴ、アルミ箔、ポリエチレンなどを積層した少なくとも４層のドライラミネート材からなる被覆材に入れてシールし、その内部を０．０５Ｔｏｒｒ以下に減圧して封止したものが用意されるが、これに限らず、プラスチックフィルムと金属箔とのラミネートフィルムを有するものなどの他の被覆材で、シリカ粉末またはグラスウールを有したものなどの他の芯材を包み、内部を真空にした真空断熱材であっても良く、硬質プラスチックフォーム単体の断熱材に比べて熱伝導率が低く（例えば約６分の１）、高い断熱性が得られる。
【００３２】
また、この真空断熱パネル１０を構成する凹部１３を備えたポリスチレン発泡体１２は、図４に示す製造工程とは別に、予め、ビーズ法ポリスチレンフォーム（ＥＰＳ）による型発泡で成形されたり、押出成形された板状ないし棒状のポリスチレン成形体を接着するなどで組み立てて凹部を備えたパネル状としたものを成形しておく。
【００３３】
そして、この真空断熱パネルの連続製造工程では、図４に示すように、ローラコンベア２１を介して凹部１３を備えたポリスチレン発泡体１２が連続して投入され、凹部１３に、図示しない供給装置を介して真空断熱材１１を落とし込むようにして連続的に装着する。
【００３４】
一方、ポリウレタン発泡体１４を成形するため、例えばインバース法で製造され、ロール状の面材１５がリール２２から巻き出され、その水平状態の表面上にウレタンフォームの発泡原料が混合されてノズル２３で吹き付けるように塗布された後、その先に設けた湾曲部２４によって面材１５を反転させて供給するようにしてあり、反転した後、面材１５と真空断熱材１１が装着されたポリスチレン発泡体１２とが対向するいわゆるインバース式となっている。
【００３５】
また、この発泡原料の塗布時において、発泡原料を横幅方向（図４の紙面垂直方向）に均一に塗布するため、ノズル２３を横幅方向に往復動させながら連続的に塗布するようにし、反転後ポリスチレン発泡体１２上に被せるようにしたときにポリウレタン発泡体１４の厚みが均一になるようにする。
【００３６】
さらに、面材移送ラインの湾曲部２４から下流にかけて、カーブドプラテンヒーターなどの加熱装置２５が設けられ、ノズル２３で塗布された発泡原料が次第に発泡しながら面材１５とともに送られる場合の発泡原料の発泡状態を調整できるようにしてある。
【００３７】
こうして面材１５と真空断熱材１１を凹部１３に装着したポリスチレン発泡体１２とを対向させながら接近させて両者を接触させるようにした後、更に下流のダブルコンベア２６内に送り込んで上下から押えて一定の厚みにする。
【００３８】
このダブルコンベア２６では、面材１５のポリウレタン発泡体１４をポリスチレン発泡体１２に被せるようにすることから、入口側の間隔を広げ、中間部から出口側を一定の間隔として無理なく押えることができるようにしてある。
【００３９】
こうして面材１５と真空断熱材１１を凹部１３に装着したポリスチレン発泡体１２が一定の厚さとなるよう押さえられてキュアオーブン２７を経てパネル状に一体化された後、トリミングのためサイドカッタ２８およびクロスカッタ２９でカットされ、所定の大きさ(例えば製品寸法)の真空断熱パネル１０が連続的に製造される。
【００４０】
このようなポリウレタン発泡体１４を構成する面材１５は、厚みが０．１〜１．０ｍｍのものが使用され、例えばプラスチックフィルム（厚さ１５〜５０μ）と一層以上の炭カル紙（１００〜３００ｇ／ｍ２）とを積層したものを使用するが、クラフト紙や中芯紙などにアルミニウムなどの金属箔を積層したもの、クラフト紙や中芯紙などに金属を蒸着したもの、クラフト紙や中芯紙などにポリエチレンフィルム、ポリエステルフィルム等のプラスチックフィルムを積層したもの、これらのプラスチックフィルムを単独としたもの、これらプラスチックフィルムの複数を組み合わせて積層したもの、例えばポリエチレンフィルムと炭カル紙とポリエチレンフィルムとＰＥＴフィルムとの４層構造のものなどを挙げることができる。  
なお、建築物に用いる場合には、記述したように、透湿抵抗を考慮したものにすることが望ましい。
【００４１】
また、ポリウレタン発泡体１４は、例えば厚みが９〜１００ｍｍ、フォーム密度が２０〜１００ｋｇ／ｍ3とされる。
【００４２】
このようにして製造されるポリウレタン発泡体１４は、型を必要とせずに容易に均一な厚みのものを連続的に製造することができ、大幅な生産性向上を図ることができるとともに、コスト低減を図ることができる。
【００４３】
また、型を必要としないことから、大きさの異なるポリウレタン発泡体１４を容易に製造することができる。
【００４４】
このような真空断熱パネルの製造方法によれば、ポリスチレン発泡体１２の凹部１３に真空断熱材１１を装着し、ポリウレタン発泡体１４を積層して組み立てるようにするので、真空断熱材１１が入る部分と入らない部分があってもポリウレタン発泡体１４の厚さを調整してパネル全体の厚さを均一にできるとともに、一部分が膨らむこともなく平滑にすることができる。
【００４５】
また、この真空断熱パネルの製造方法によれば、ポリウレタン発泡体１４を型を必要とせずに製造することができ、大きさの異なる真空断熱パネルを製造する場合にも簡単に対応して製造することができる。
【００４６】
なお、大きさの異なる真空断熱パネルとしては、凹部に装着する真空断熱材の１枚を大きく変える場合に限らず、同一大きさの真空断熱材で周囲のポリウレタン発泡体１４部分の大きさが異なる場合、真空断熱材を複数枚として真空断熱材部分の大きさが異なる場合など、いずれの大きさの異なる真空断熱パネルも同様にして製造することができる。
【００４７】
また、このような大きさの異なる真空断熱パネルを製造する場合に、凹部に装着する真空断熱材を複数枚とし、断熱発泡体の１つの凹部に複数枚装着して固定するようにしても良い。
【図面の簡単な説明】
【００４８】
【図１】この発明の参考例の真空断熱パネルにかかる概略平面図および横断面図である。
【図２】この発明の参考例の真空断熱パネルにかかるそれぞれの概略正面図である。
【図３】この発明の真空断熱パネルの製造方法で製造された真空断熱パネルを建築物の断熱に用いた場合の一実施の形態にかかる概略断面図である。
【図４】この発明の真空断熱パネルの製造方法の一実施の形態にかかる製造工程の概略構成図である。
【図５】従来の真空断熱パネルの概略斜視図である。
【図６】従来の他の真空断熱パネルの概略断面図である。
【符号の説明】
【００４９】
１０        真空断熱パネル
１１        真空断熱材
１２        ポリスチレン発泡体
１３        凹部
１４        ポリウレタン発泡体
１５        面材
２１        ローラコンベア
２２        リール
２３        ノズル
２４        湾曲部
２５        加熱装置
２６        ダブルコンベア
２７        キュアオーブン
２８        サイドカッタ
２９        クロスカッタ
【図１】
0005182749.tif 000002
【図２】
0005182749.tif 000003
【図３】
0005182749.tif 000004
【図４】
0005182749.tif 000005
【図５】
0005182749.tif 000006
【図６】
0005182749.tif 000007